(57)【要約】【課題】燃料タンク内に配置されるポンプユニットの取り外し作業を効率良く行うこと。【解決手段】燃料タンク２の底面に設定されるユニット取り付け部２１と、ユニット取り付け部２１に取り付けられるポンプユニット３とを備え、弾性係止部７１と被係止部７２が係止することにより、ユニット取り付け部２１に対するポンプユニット３の移動を抑制可能な燃料タンク装置１であって、移動可能に構成されるロック解除補助部７３と、弾性係止部７１に当接可能な係止解除部７６とを備え、ロック解除補助部７３を移動させて係止解除部７６と弾性係止部７１との相対的な位置を変えることにより、弾性係止部７１と被係止部７２との係止が解除される状態まで弾性係止部７１を変形させることが可能なロック解除機構７４を備える燃料タンク装置１とする。【選択図】図１
2016200009.tif 000002
【特許請求の範囲】
【請求項１】
燃料タンクの底面に設定されるユニット取り付け部と、ユニット取り付け部に取り付けられるポンプユニットとを備え、弾性係止部と被係止部が係止することにより、ユニット取り付け部に対するポンプユニットの移動を抑制可能な燃料タンク装置であって、
移動可能に構成されるロック解除補助部と、弾性係止部に当接可能な係止解除部とを備え、
ロック解除補助部を移動させて係止解除部と弾性係止部との相対的な位置を変えることにより、弾性係止部と被係止部との係止が解除される状態まで弾性係止部を変形させることが可能なロック解除機構を備える燃料タンク装置。
【請求項２】
請求項１に記載の燃料タンク装置であって、
弾性係止部と係止解除部とを当接させた状態で相対的に移動させることにより、弾性係止部と被係止部との係止が解除される状態まで弾性係止部を変形させることが可能な燃料タンク装置。
【請求項３】
請求項１又は２に記載の燃料タンク装置であって、
係止解除部はロック解除補助部と一体的に移動可能である燃料タンク装置。
【請求項４】
請求項１又は２に記載の燃料タンク装置であって、
弾性係止部はロック解除補助部と一体的に移動可能である燃料タンク装置。
【請求項５】
請求項１乃至４の何れか１項に記載の燃料タンク装置であって、
ユニット取り付け部は、サブタンクと一体に形成され、燃料タンク底面に対して相対移動不能とされている燃料タンク装置。
【発明の詳細な説明】
【技術分野】
【０００１】
本発明は、燃料タンク装置に関する。詳しくは、自動車等の乗物に搭載される燃料タンク装置に関する。
【背景技術】
【０００２】
燃料タンク内にポンプユニットを配置して、燃料タンク内の燃料を内燃機関などに送液することは広く行われている。通常、燃料タンク内に配置されたポンプユニットを固定するには、燃料タンクの開口から燃料タンク内に手を挿入して作業が行われている。一般的に、燃料タンクの開口は小さく、燃料タンクの内部は暗いため、ポンプユニットの固定作業は手間がかかるものであった。そこで、特許文献１に記載されているように、上方からポンプユニットを押し付けることで、ポンプユニットと燃料タンクを係止状態とすることが考えられている。
【先行技術文献】
【特許文献】
【０００３】
【特許文献１】特開２００８−１７４０７４号公報
【発明の概要】
【発明が解決しようとする課題】
【０００４】
ところで特許文献１に記載の構造は、ポンプユニットを係止する構造が複数個所形成されている。このような形態であると、ポンプユニットを燃料タンクから取り外す際には、燃料タンクの内部に位置する複数個所の係止を解除することになり、作業に手間取る虞があった。
【０００５】
本発明は、上記した点に鑑みて創案されたものであって、本発明が解決しようとする課題は、燃料タンク内に配置されるポンプユニットの取り外し作業を効率良く行えるようにすることにある。
【課題を解決するための手段】
【０００６】
上記課題を解決するために、本発明は次の手段をとる。先ず、第１の手段は、燃料タンクの底面に設定されるユニット取り付け部と、ユニット取り付け部に取り付けられるポンプユニットとを備え、弾性係止部と被係止部が係止することにより、ユニット取り付け部に対するポンプユニットの移動を抑制可能な燃料タンク装置であって、移動可能に構成されるロック解除補助部と、弾性係止部に当接可能な係止解除部とを備え、ロック解除補助部を移動させて係止解除部と弾性係止部との相対的な位置を変えることにより、弾性係止部と被係止部との係止が解除される状態まで弾性係止部を変形させることが可能なロック解除機構を備える燃料タンク装置である。
【０００７】
この第１の手段によれば、ロック解除補助部を移動させるだけで弾性係止部と被係止部との係止が解除されるため、燃料タンク内に配置されるポンプユニットの取り外し作業を効率良く行えるようにすることが可能と成り得る。また、作業者が片手で作業を行うことが可能と成り得る。
【０００８】
第２の手段は、第１の手段において、弾性係止部と係止解除部とを当接させた状態で相対的に移動させることにより、弾性係止部と被係止部との係止が解除される状態まで弾性係止部を変形させることが可能な燃料タンク装置である。
【０００９】
この第２の手段によれば、弾性係止部と係止解除部とが当接した状態を維持しながら係止が解除される状態とすることから、弾性係止部又は係止解除部の移動位置により、弾性係止部と係止解除部の係止が解除されているか否かを推測することが可能と成り得る。
【００１０】
第３の手段は、第１又は２に記載の手段における係止解除部はロック解除補助部と一体的に移動可能である燃料タンク装置である。
【００１１】
この第３の手段によれば、ロック解除補助部と係止解除部を一体的に移動させることが可能であるため、ロック解除補助部の構造を簡素にすることが可能となりうる。
【００１２】
第４の手段は、第１又は２に記載の弾性係止部がロック解除補助部と一体的に移動可能である燃料タンク装置である。
【００１３】
この第４の手段によれば、ロック解除補助部と弾性係止部を一体的に移動させることが可能であるため、ポンプユニットの構造を簡素にすることが可能と成り得る。
【００１４】
第５の手段は、第１乃至３の何れかの手段のユニット取り付け部は、サブタンクと一体に形成され、燃料タンク底面に対して相対移動不能とされているである。
【００１５】
この第５の手段によれば、ユニット取り付け部がサブタンクとして機能するため、燃料タンク装置の構造を簡素化することが可能と成り得る。また、ユニット取り付け部が燃料タンク底面に対して相対移動不能な状態とされているため、燃料タンクの所定箇所にポンプユニットを固定することが可能となる。
【発明の効果】
【００１６】
本発明によれば、燃料タンク内に配置されるポンプユニットの取り外し作業を効率良く行うことが可能となり得る。
【図面の簡単な説明】
【００１７】
【図１】実施例１の燃料タンク装置の概念図である。
【図２】実施例１における弾性係止部と被係止部が係止されている状態を示した図である。但し、二点鎖線は弾性係止部と被係止部の係止が解除された状態を示している。
【図３】実施例１における弾性係止部と被係止部の係止が解除されている状態を示した図である。但し、二点鎖線はポンプユニットがユニット取り付け部から取り外された状態を示している。
【図４】実施例２における弾性係止部と被係止部が係止されている状態を示した図である。但し、二点鎖線は弾性係止部と被係止部の係止が解除された状態を示している。
【図５】実施例２における弾性係止部と被係止部の係止が解除されている状態を示した図である。但し、二点鎖線はポンプユニットがユニット取り付け部から取り外された状態を示している。
【図６】実施例３における弾性係止部と被係止部が係止されている状態を示した図である。但し、二点鎖線は弾性係止部と被係止部の係止が解除された状態を示している。
【図７】実施例３における弾性係止部と被係止部の係止が解除されている状態を示した図である。但し、二点鎖線はポンプユニットがユニット取り付け部から取り外された状態を示している。
【図８】実施例４における弾性係止部と被係止部が係止されている状態を示した図である。但し、二点鎖線は弾性係止部と被係止部の係止が解除された状態を示している。
【図９】実施例４における弾性係止部と被係止部の係止が解除されている状態を示した図である。但し、二点鎖線はポンプユニットがユニット取り付け部から取り外された状態を示している。
【図１０】実施例５における弾性係止部と被係止部が係止されている状態を示した図である。但し、二点鎖線は弾性係止部と被係止部の係止が解除された状態を示している。
【図１１】実施例５における弾性係止部と被係止部の係止が解除されている状態を示した図である。但し、二点鎖線はポンプユニットがユニット取り付け部から取り外された状態を示している。
【発明を実施するための形態】
【００１８】
以下に、本発明を実施するための形態について、適宜図面を用いながら説明する。本実施の形態における燃料タンク装置１は乗物に搭載されるものである。特に、乗物の中でも車両に搭載されるものである。燃料タンク装置１は、車両の内燃機関（図示せず）に対して液体燃料を送液するために使用するものである。液体燃料を送液するために使用される燃料ポンプ３１は、ポンプユニット３に備えられており、このポンプユニット３は燃料タンク２内に配置されている。燃料タンク２には開口２５が形成されており、当該開口２５を通じてポンプユニット３を燃料タンク２から出し入れ可能に構成されている。ポンプユニット３には当該開口２５を塞ぐことが可能なセットプレート９１が接続されている。
【００１９】
燃料タンク２の底面２６にはユニット取り付け部２１が設定されており、ポンプユニット３を取り付けることが可能になっている。ユニット取り付け部２１とポンプユニット３は弾性係止部７１と被係止部７２が係合することにより、ユニット取り付け部２１に対するポンプユニット３の移動を抑制可能としている。ポンプユニット３には、燃料ポンプ３１に対して相対移動可能に構成されるロック解除補助部７３を備えている。このロック解除補助部７３を移動させることで係止解除部７６にと弾性係止部７１との間に相対的な移動を生じさせることで、弾性係止部７１を変形させることが可能な構成となっている。このようにして弾性係止部７１を変形させることで、弾性係止部７１と被係止部７２との係合状態を解除することが可能なロック解除機構７４が燃料タンク装置１に備えられている。
【実施例１】
【００２０】
本実施例における燃料タンク装置１は、ユニット取り付け部２１が燃料タンク２の底面２６と一体的に形成されている。より詳しくは、燃料タンク２の底面２６とユニット取り付け部２１を形作る型枠内に導入された樹脂を固化することにより、燃料タンク２の底面２６とユニット取り付け部２１を同時に形成している。燃料タンク２には、燃料タンク２の側面２７よりも内側に形成した壁部７８により所定量の燃料を保管可能な空間を形成している。つまり、この空間は、いわゆるサブタンクの役割を果たしている。ユニット取り付け部２１は、この空間内の燃料をポンプユニット３が吸引できる位置にポンプユニット３を取り付けることができるように構成されている。
【００２１】
本実施例のユニット取り付け部２１は、ポンプユニット３に形成された弾性係止部７１と係合可能な被係止部７２を備えている。被係止部７２は、燃料タンク２の底面２６よりも上方に延びるように形成されており、水平方向にへこんだ穴７２１が形成されている。弾性係止部７１には水平方向に延びる突起７１１が形成されており、当該穴７２１に嵌ることが可能なように構成されている（図２参照）。弾性係止部７１は弾性変形可能に構成された部位であり、突起７１１が穴７２１に対して出入り可能に構成されている。本実施例のユニット取り付け部２１は、被係止部７２と壁部７８により構成されており、壁部７８上にポンプユニット３を載置して固定することが可能となっている。
【００２２】
図１に示すように、弾性係止部７１が備えられたポンプユニット３には、燃料を送液可能な燃料ポンプ３１が備えられている。また、ポンプユニット３には、燃料ポンプ３１を支持する台座の機能を果たすポンプマウント３２が備えられており、ポンプマウント３２より下方には、ポンプと接続されるフィルタ３３が備えられている。燃料ポンプ３１には燃料チューブ９２の一端が接続されており、この燃料チューブ９２の他端はセットプレート９１に接続されている。燃料タンク２の外に燃料を排出することを可能とするため、セットプレート９１には図示しない吐出ポートが形成されている。
【００２３】
燃料ポンプ３１により吸引された燃料は、フィルタ３３を通じて燃料ポンプ３１内に導かれ、更に、燃料チューブ９２及び吐出ポート（図示せず）を経由し、燃料タンク２の外に送られる。つまり、ポンプユニット３に接続された燃料チューブ９２などを経由して内燃機関に燃料が送液される構成となっている。なお、燃料ポンプ３１は電動であるため、図示しないハーネスが燃料ポンプ３１に接続されている。
【００２４】
燃料ポンプ３１を支えるポンプマウント３２には、ロック解除補助部７３ａが取り付けられている。ロック解除補助部７３ａは、燃料ポンプ３１やポンプマウント３２に対して相対的に移動することが可能となるように構成されており、本実施例のロック解除補助部７３ａは、ポンプマウント３２とは別の部材として形成されている。図２に示すように、ロック解除補助部７３ａは、弾性係止部７１の近傍に配置されており、このロック解除補助部７３ａを移動させることで弾性係止部７１を変形させることが可能となるように構成されている。
【００２５】
本実施例のロック解除補助部７３ａは上下方向に移動可能であり、ロック解除補助部７３ａを作業者の手Ｈａで押し込んで下方向に向けて移動させると、弾性係止部７１が湾曲するように変形させることが可能となる。本実施例のロック解除機構７４では、このようにして弾性係止部７１を変形させることで、弾性係止部７１と被係止部７２との係止状態を解除することが可能となる構成としている。なお、本実施例のロック解除機構７４は、燃料タンク２に導入される燃料の重みがロック解除補助部７３ａに掛けられても、弾性係止部７１と被係止部７２との係止状態が解除されないように構成されている。
【００２６】
本実施例のロック解除機構７４は、弾性係止部７１に当接可能な係止解除部７６ａを備えている。係止解除部７６ａはロック解除補助部７３ａを移動させることにより弾性係止部７１との相対的な位置が変わる部位である。この係止解除部７６ａと弾性係止部７１との相対的な位置を変えることで、弾性係止部７１と被係止部７２との係止が解除される状態まで弾性係止部７１を変形させることが可能となる。
【００２７】
また、弾性係止部７１の側面にはロック解除補助部７３ａの移動方向と交差するように傾く傾斜面７１２ａが形成されている。図２及び３から理解されるように、係止解除部７６ａが当該傾斜面７１２ａを押しのけるようにロック解除補助部７３ａを移動させることにより、弾性係止部７１は変形することになり、弾性係止部７１に形成された突起７１１が被係止部７２に引っかかった状態が解除される。この状態ではポンプユニット３はユニット取り付け部２１の上に載っているだけであるので、図３に示すようにポンプユニット３を上方に持ち上げれば、ユニット取り付け部２１からポンプユニット３を容易に引き離すことが可能となる。
【００２８】
本実施例のロック解除補助部７３ａはポンプマウント３２に形成された貫通孔３２１に対して挿入された押圧部７３１ａを移動させることが可能なように構成されている。本実施例のロック解除補助部７３ａは移動方向に延びる押圧部７３１ａを二つ形成しており、押圧部７３１ａ同士は、貫通孔３２１に侵入しない連結部７３２により連結されている。互いの押圧部７３１ａは、二つの弾性係止部７１を挟み込むように配置されており、ロック解除補助部７３ａを押し下げることにより、双方の弾性係止部７１を変形させることが可能な構成となっている。なお、押圧部７３１ａには貫通孔３２１の貫通方向と交差するように突出した抜け止め部７３３が備えられており、ロック解除補助部７３ａがポンプマウント３２から分離することを抑制している。
【００２９】
本実施例の押圧部７３１ａは、弾性係止部７１の傾斜面７１２ａと対向するように傾斜部７３４ａが形成されている。ロック解除補助部７３ａを押し込むことにより、傾斜部７３４ａは傾斜面７１２ａに対して当接しながら移動するが、徐々に傾斜面７１２ａを押しのけるように移動することになる。
【００３０】
本実施例の弾性係止部７１はポンプマウント３２の一部として形成されており、水平方向に延びる面から下方に延びるように形成されている。弾性係止部７１は先端側に突起７１１が形成されているとともに、弾性係止部７１の基端と先端との間に傾斜面７１２ａを形成している。突起７１１はユニット取り付け部２１の被係止部７２に対して引っ掛かることが可能なように構成されており、突起７１１が被係止部７２に引っ掛かることによりポンプユニット３とユニット取り付け部２１との間の相対的な移動が抑制される。
【００３１】
弾性係止部７１に形成される突起７１１は、先端から基端部に向けて漸次側方に広がるような形態で構成されている。弾性係止部７１を被係止部７２の上下方向に延びる面に沿って下方に移動させると、弾性係止部７１はやや弾性変形するが、所定箇所まで移動すると、弾性係止部７１の復元力により突起７１１が穴７２１に嵌るように移動する。この状態では弾性係止部７１が被係止部７２に係止した状態となる。つまり、弾性係止部７１を備えるポンプユニット３をユニット取り付け部２１に押し付けるように移動させることで、ポンプユニット３とユニット取り付け部２１の相対的な移動が抑制可能となる。
【００３２】
弾性係止部７１と被係止部７２とが係止している状態を解除可能なように、ロック解除補助部７３ａを形成しているが、本実施例のロック解除補助部７３ａには弾性係止部７１の長手方向と略平行に延びる押圧部７３１ａを備えている。押圧部７３１ａは弾性係止部７１に当接可能であり、弾性係止部７１の側方に突出している傾斜面７１２ａを押しのけるように移動させることにより、弾性係止部７１を変形させる。本実施例のロック解除補助部７３ａは、その内周側に位置する弾性係止部７１を変形させるように構成されており、ロック解除補助部７３ａにより押圧された二つの弾性係止部７１の先端は互いに接近するように変形する。
【００３３】
二つの弾性係止部７１に形成された突起７１１は、基部間の距離よりも先端部間の距離が長くなるように、つまりは、その先端部が互いに外方向に延びるように形成されている。被係止部７２は、この二つの弾性係止部７１の先端が二つの被係止部７２の間に配置されるように形成されている。このように構成することにより、ロック解除補助部７３ａを押し操作することにより、二つの弾性係止部７１の各々が被係止部７２と係止している状態を解除することが可能となっている。また、ロック解除補助部７３ａを押し操作することにより、弾性係止部７１と被係止部７２とが離間した状態となる。このため、ポンプユニット３をユニット取り付け部２１から取り外す際に、弾性係止部７１と被係止部７２が擦れることにより発生しうる摩擦力を抑制することが可能となる。したがって、よりスムーズにポンプユニット３をユニット取り付け部２１から取り外すことが可能と成り得る。
【００３４】
本実施例の燃料タンク装置１においては、一つのロック解除補助部７３ａを燃料タンク２の底面２６に向けて押し込むだけで、ポンプユニット３とユニット取り付け部２１の係止状態を解除することが可能となり、ポンプユニット３の取り外し作業を容易に行うことが可能と成り得る。
【００３５】
本実施例の燃料タンク装置１においては、ポンプマウント３２をユニット取り付け部２１に向けて押し込むことでポンプユニット３をユニット取り付け部２１に取り付けることが可能となる。
【００３６】
本実施例の燃料タンク装置１においては、ポンプユニット３の取り付け取り外し作業を片手で行うことが可能となるため、作業性を高めることが可能となる。
【実施例２】
【００３７】
次に実施例２について説明する。実施例１との相違点はロック解除補助部７３周りであるので、この点を中心に説明する。実施例２においては、実施例１と異なり、ロック解除補助部７３ｂを引き抜くように移動させることで、弾性係止部７１ｂを変形させる構成である。図４に示すように、本実施例のロック解除補助部７３ｂは、押圧部７３１ｂが弾性係止部７１ｂを挟み込むように配置されるものである。作業者がロック解除補助部７３ｂを引っ張ることにより、二つの弾性係止部７１ｂが押圧されて、互いに近づくように変形する。
【００３８】
図４に示すように、ロック解除補助部７３ｂを上方に向けて引くことにより弾性係止部７１ｂを変形させる構成であるため、弾性係止部７１ｂに形成された傾斜面７１２ｂは、弾性係止部７１ｂの先端側から基端側になるにつれ、漸次突出量が多くなるように形成されている。係止解除部７６ｂに形成された傾斜部７３４ｂは、この傾斜面７１２ｂと略平行となるように形成されており、押圧部７３１ｂの先端側から基端側になるにつれ漸次突出量が少なくなるように形成されている。
【００３９】
図１、４及び５から理解されるように、本実施例では、ポンプユニット３の取り外し方向と、ロック解除補助部７３ｂを機能させるために操作する方向とが一致している。このため、ポンプユニット３の取り付け時にロック解除補助部７３ｂを押し込んでも弾性係止部７１ｂと被係止部７２との係止状態が解除されない。したがって、ポンプユニット３の取り付け作業時にスムーズに弾性係止部７１ｂと被係止部７２を係止させることが可能と成り得る。
【実施例３】
【００４０】
次に実施例３について説明する。実施例１及び２との相違点はロック解除補助部７３周りであるので、この点を中心に説明する。実施例３においては、実施例１及び２と異なり、ロック解除補助部７３ｃ外周側に配置された弾性係止部７１ｃを変形させる構成である。本実施例の押圧部７３１ｃは二つの弾性係止部７１ｃに挟まれるように配置されている。二つの弾性係止部７１ｃに形成された突起７１１は、互いの基部の距離よりも互いの先端部の距離が短くなるように、つまりは、その先端が互いに内方向に延びるように形成されている。
【００４１】
押圧部７３１ｃの先端に形成された係止解除部７６ｃは、側面視で台形状に構成されており先端側から基端側に向けて側方への突出量が大きくなるように傾斜部７３４ｃが形成されている。弾性係止部７１ｃに形成される傾斜面７１２ｃは傾斜部７３４ｃと対向するように配置されており、弾性係止部７１ｃの先端側から基端側に向けて突出量が漸次少なくなるように形成されている。このように構成することにより、ロック解除補助部７３ｃを押し操作することにより、二つの弾性係止部７１ｃの各々が被係止部７２と係止している状態を解除することが可能となっている（図６参照）。また、ロック解除補助部７３ｃを押し操作することにより、弾性係止部７１ｃと被係止部７２とが離間した状態となる。この状態からポンプユニット３を上方に引き上げることで、ユニット取り付け部２１からポンプユニット３をスムーズに取り外すことが可能となる（図１、６及び７参照）。
【実施例４】
【００４２】
次に実施例４について説明する。前述した実施例との相違点はロック解除補助部７３周りであるので、この点を中心に説明する。実施例４においては、実施例３と同様、ロック解除補助部７３ｄの外周側に配置された弾性係止部７１ｄを変形させる構成である。但し、ロック解除補助部７３ｄを引っ張ることで弾性係止部７１ｄと被係止部７２との係止が解除されるように構成している（図８参照）。本実施例は実施例２と同様に、ポンプユニット３の取り外し方向と、ロック解除補助部７３ｄを機能させるために操作する方向とが一致している（図１、８及び９参照）。
【００４３】
本実施例の押圧部７３１ｄは二つの弾性係止部７１ｄに挟まれるように配置されている。二つの弾性係止部７１ｄに形成された突起７１１は、互いの基部の距離よりも互いの先端部の距離が短くなるように、つまりは、その先端部が互いに内方向に延びるように形成されている。また、押圧部７３１ｄの先端に形成された係止解除部７６ｄは、側面視で台形状に構成されており先端側から基端側に向けて、中心軸から側方への突出量が小さくなるように傾斜部７３４ｄが形成されている。弾性係止部７１ｄに形成される傾斜面７１２ｄは傾斜部７３４ｄと対向するように配置されており、弾性係止部７１ｄの先端側から基端側に向けて突出量が漸次大きくなるように傾斜面７１２ｄが形成されている。
【実施例５】
【００４４】
次に実施例５について説明する。前述した実施例との相違点はロック解除補助部７３周りであるので、この点を中心に説明する。図１０に示すように、本実施例の弾性係止部７１ｅは、ロック解除補助部７３ｅに形成されている。この弾性係止部７１ｅは側面視で略Ｕ字状となるように構成され、両外側に突出するように形成された突起７１１を備えている。当該突起７１１の双方が被係止部７２に引っ掛かることによりポンプユニット３の移動を抑制することが可能な構成となっている。
【００４５】
本実施例のポンプユニット３には、係止解除部７６ｅを備えている。ロック解除補助部７３ｅを押圧して下方に向けて移動させることにより弾性係止部７１ｅを係止解除部７６ｅに押し付けることが可能な構成となっている。二つの係止解除部７６ｅの間に位置する弾性係止部７１ｅは、両外側の側面が押し付けられる状態となり変形する。したがって、弾性係止部７１ｅの両外側に形成された突起７１１は近接するように移動しながら被係止部７２に係止される状態が解除される。この状態からポンプユニット３を上方に引き上げることで、ユニット取り付け部２１からポンプユニット３をスムーズに取り外すことが可能となる（図１、１０及び１１参照）。
【００４６】
以上、幾つかの実施例を用いて実施形態を説明したが、本発明は、上記実施形態のほか、その他各種の形態で実施可能なものである。例えば、ロック解除補助部は、上下方向に移動させるものばかりではなく、水平方向などに移動させる態様とすることも可能である。
【００４７】
一つのロック解除補助部を移動させることにより三つ以上の弾性係止部を変形させるようにする形態としても良く、一つの弾性係止部を変形させるようにしても良い。一つのロック解除補助部を移動させることでポンプユニットがユニット取り付け部に対して移動可能な状態となっている必要性は無く、複数のロック解除補助部を移動させることでポンプユニットがユニット取り付け部に対して移動可能な状態とすることも可能である。この場合、ロック解除補助部の数は、変形させる弾性係止部の数よりも少ないことが好ましい。
【００４８】
ロック解除補助部は、サブタンクやポンプマウントと別の部材で形成されている必要性は無く、サブタンクやポンプマウントの一部を変形可能に構成し、ロック解除補助部を形成することも可能である。
【００４９】
弾性係止部はポンプユニット側に形成されている必要性は無く、ユニット取り付け部側に形成することも可能である。この場合、対応する被係止部をポンプユニット側に形成すれば良い。
【００５０】
被係止部に形成される穴は、突起が引っ掛かればよいため、貫通しているものでも、貫通していないものでも良い。
【００５１】
また、乗物としては、車両であることに限らず、飛行機やヘリコプターなど空中を飛行する乗物や、船舶や潜水艇など海面や海中などを移動する乗物としてもよい。
【符号の説明】
【００５２】
１        燃料タンク装置
２        燃料タンク
３        ポンプユニット
２１      ユニット取り付け部
２５      開口
３１      燃料ポンプ
３２      ポンプマウント
３３      フィルタ
７１      弾性係止部
７２      被係止部
７３      ロック解除補助部
７４      ロック解除機構
７６      係止解除部
Ｈａ      手
【図１】
2016200009.tif 000003
【図２】
2016200009.tif 000004
【図３】
2016200009.tif 000005
【図４】
2016200009.tif 000006
【図５】
2016200009.tif 000007
【図６】
2016200009.tif 000008
【図７】
2016200009.tif 000009
【図８】
2016200009.tif 000010
【図９】
2016200009.tif 000011
【図１０】
2016200009.tif 000012
【図１１】
2016200009.tif 000013